(57)【要約】【課題】  従来フットサポート外側下方に向って支持されたフットレストを、直接手または足にて回動して開閉していた不潔かつ厄介な操作方法の改善。【解決手段】  車椅子に座った患者の手元までフットサポートを延長し、これに内外方に旋回するハンドルを設け、その旋回運動をフットサポート内の内筒から自在継手、フレキシブルシャフト、もしくは他の屈曲材を用いて斜め支持軸から支持筒と一体のフットレストに伝達するようにした。【選択図】図１
2007252859.tif 000002
【特許請求の範囲】
【請求項１】
フットサポートまたは外筒の外側に下方に向けて傾斜して設けた支管を軸として回動する支持筒を使用時にフットサポートまたは外筒を囲むように逃げ凹部を設けた構造のフットレストと一体となし、この支持筒に係合して支管内に設けた支軸とフットサポートまたは外筒内で旋回可能に支持した内筒とを自在継手、あるいはフレキシブルシャフト等の屈曲材を用いて連結して成る車椅子のフットレストの旋回と開閉装置、およびそのユニット。
【発明の詳細な説明】
【技術分野】
【０００１】  本発明は一般の自走式車椅子のフットレストの遠隔操作による旋回と開閉装置に関する。
【背景技術】
【０００２】  後述する［０００３］の考案は、直接手または足の操作で車椅子の内外方に開閉するフットレストに関わるものである。この考案を、図１によって概略を説明する。それは図１からハンドル８を除いたものと考え、フットサポート４の外側に下方に向けて設けた支管５にフットレスト７の支持筒６を嵌合し、図１の「閉」の状態から図２の「開」の状態のようにフットレスト７を開閉して乗降するようにしたものである。【０００３】
【特許文献１】  実用新案  平５−４６７３９号  公報
【発明の開示】
【発明が解決しようとする課題】
【０００４】  以上に述べた此の車椅子では、直接手または足による以外にフットレストの開閉は出来ず、患者の乗降のたびに汚れたフットレストにいやおうなく触れざるを得ず、その不快感と不潔感は拭い去る事が出来なかった。また、その都度手洗いするなどの余裕がないので手取早く自分の衣服で拭いて、そのまま次の行動に移っているのが実情である。【０００５】  本発明はこのように患者自身、あるいは介護者が前にかがんでいちいち左右のフットレストの開閉をしなければならない面倒さと不潔さの厄介な問題を解決し、患者も介護者も前にかがみこむことなく自然の姿勢で楽に操作が出来るようにしたものである。
【課題を解決するための手段】
【０００６】  問題は、あくまでフットレストに直接手を触れ、あるいは患者自身が足をのばして開閉しなければならない点である。患者の手元のフットサポートにハンドルを設け、このハンドルを旋回すると、支管内に設けたフットレストに係合した軸に連動し、結局このハンドルによって支管に嵌合して斜め軸心に回動する支持筒がフットレストそのものを旋回させ、フットサポートの内側における水平状態から外側に旋回して起立状態で収容されるようにした。【０００７】  フットサポート内に設けた内軸とフットレストに係合する支管内の軸とを、自在継手、あるいはフレキシブルシャフト等の屈曲材をもって連結して遠隔操作を可能にした。
【発明の効果】
【０００８】  上述したように本発明のフットレストの開閉装置は、非常に簡単な構成によって楽な姿勢で立ったままワンタッチで開閉できるので大いに労力が軽減され、スピーディかつ全く手足を汚す心配がなく衛生的である等、多大の効果がある。
【発明を実施するための最良の形態】
【０００９】  本発明の実施の形態を図１〜図７によって説明する。【００１０】  図１は本発明車椅子のフットレストの旋回と開閉装置を装着した主要部の使用状態、すなわち左右のフットレスト７が閉じている時の外観図であって、１は車椅子本体、２及び２′はフットサポート４の支持桿、３は座席、５はフットサポート４の外側に下方に向けて固着した支管で、その支管５を軸として回動する支持筒６にフットレスト７が一体的に設けられている。フットサポート４の上方にはハンドル８があって、フットサポート内部に設けた軸などを経て支持筒６を回動し、フットレスト７を車体の外方に旋回させる構造である。【００１１】  図２は図１のＡ方向から見たフットレストを車体の外側に旋回したときの拡大外観図である。すなわち図１のハンドル８を約９０°旋回して８′としたとき、フットレストが上開してほぼ直立した状態の７′を示す。
図中の９はフットサポート４に設けたハンドル８用の旋回窓で、該ハンドルの旋回角が約９０°の範囲で設けられている。【００１２】  フットレスト７に逃げとして設けた凹部１０は図１のように閉じたときの、フットサポートを抱きこむようにしたところで、これによってフットレストは支持筒６との２ヵ所でフットサポート４に支持される。【００１３】  図３は、図１のように車椅子製造当初から本発明装置を組み込んだ完成車に対し、ハンドル８より外筒４ａを経てフットレスト７に到る全体をユニットＦとしたものを挟み金１１と１２を用いて一般の車椅子のフットサポート４にボルト１３をもって締結したものを示す。【００１４】  前記の図３は、本発明装置をもたない従来車に対しては、あらかじめＦのように用意したユニットを用いれば簡単に改造ができることを示している。
【実施例１】
【００１５】  図４と図５に本発明装置の一例を示す。図４は図１のＢ−Ｂ断面図である。フットサポート４内にて回転可能な内筒１５にハンドル８がネジ２６によってネジ止めされ、かつその案内部８ａはフットサポート４にあらかじめ決められた範囲で旋回可能に穿設された案内窓９に挿通されている。内筒１５には四角頭部２５を持った内筒軸１６が挿通され、内筒中軸１７、同自在継手（上）１９が一体的に動いてハンドル８の旋回運動がそのまま伝えられるようにフットサポート４内に設けた軸受１８に回転可能に支持されている。【００１６】  一方、フットサポート４の外側の下方に傾斜して設けた支管５には、フットレスト７と一体の支持筒６が嵌合しており、この支持筒６に係合したピン２２は前記自在継手（下）２１に固着され、支管５に設けた図示しない案内窓を通してハンドル８の旋回角と同じ約９０°の範囲で回転可能にしてある。そして、自在継手（上）１９と、同（下）２１とは駒２０を介して自在継手（下）２１に連結してピン２２によって最終的にフットレスト７を旋回せしめ、図５の７′のようにフットサポート４の外側に直立した形で収納される。    図２はそのときの外観図である。
キャップ２３は支管５にピン２４によって固定されており、支持筒６の脱落を防止する。
【実施例２】
【００１７】  図６および図７によって他の実施例を説明する。
フットサポート２７には内筒（上）３７にセットビス２９によって固定したハンドルと、このハンドル２８には位置ぎめ用軸３４がガイド板３５を通してピン３２を中心として揺動する引き上げレバー３１と、ピン３３およびバネ３６などによって構成された位置ぎめ装置を設けてフットサポート２７に穿設した位置ぎめ穴（図示省略）に嵌出入してフットレストを固定したりフリーにしたりする構造である。なお、図６の上半分はハンドル８の周りの構造をわかり易くするために故意に外方へ旋回した状態で描いてある。【００１８】  一方、フットサポート２７の外側に下方に向けて設けた支管４５を軸として回動可能に挿通した斜め下方向の支持筒４７は、フットサポート２７に対して逃げ部５３をもったフットレスト５２に一体的に連接されており、かつ、該支持筒４７の下端には引掛け用凹部５１があり、前記支持筒４７内でキャップ４９に回動可能に支持された支軸４４からピン４８によって連結されたフィンガー５０が前記引掛け用凹部５１に係合している。【００１９】  内筒（上）３７と内筒（下）４１とは、内軸３８、ピン３９および４０によって連結され、かつ内筒（下）４１の下部はフットサポート２７内にて回転可能に支持されており、前記支管４５の下端に設けたキャップ４９に軸受けされた支軸４４とワイヤーもしくは他の屈曲材を用いたフレキシブルシャフト４３によって連結されている。【００２０】  レバー３１を引上げて位置ぎめ軸３４を引き抜き、ハンドル２８を持って車体の外方に旋回すれば、内筒３７から内軸３８などを経て結局フィンガー５０がフットレスト５２と一体の斜め支持筒４７を回動して、図５の７′と同様にフットレスト５２は開いて直立する。ここでレバー３１を離せば、図示しない外筒２７にあらかじめ設けた終端穴に位置ぎめ軸３４が嵌入され、フットレスト７′はその位置で固定される。【００２１】  レバー３１を引き上げ、ハンドル２８を旋回して元の位置に戻せば、フットレストは閉じて図６の使用時の状態になる。
【産業上の利用可能性】
【００２２】  全国に数多く使用されている車椅子のほとんどは、直接手や足で開閉しなければならない構造のフットレストをもっており、これが衛生上および身体的な苦痛を伴うものであるので、これらを改善する方法の一つとして、本発明はその有力な手段であろう。構造は簡単で、取扱いは容易であり、患介両者の衛生上およびその労力の軽減は云うに及ばず、その産業上の利用可能性は云うまでもない。
【図面の簡単な説明】
【００２３】
【図１】    本発明装置の主要部の外観図である。
【図２】    図１のＡ方向から見たフットレストの旋回後の外観拡大図である。
【図３】    既存の車椅子のフットサポートに、ユニット化した本発明装置を挟み金を用いて装着した外観図である。
【図４】    実施例１とした図１のＢ−Ｂ断面図である。
【図５】    図４のハンドルを旋回してフットレストを直立させた図である。
【図６】    実施例２とした図１のＢ−Ｂ断面図である。
【図７】    図６のハンドルに設けた位置ぎめ装置の構造の一例を示す外観図である。
【符号の説明】
【００２４】      ４      フットサポート
５      支管
６      支持筒
７      フットレスト
８      ハンドル
１５      内筒
１７      内筒中軸
１９      自在継手（上）
２１      自在継手（下）
２２      ピン
３８      内軸
４８      フレキシブルシャフト
４７      支持筒
５０      フィンガー
５１      引掛凹部
【図１】
2007252859.tif 000003
【図２】
2007252859.tif 000004
【図３】
2007252859.tif 000005
【図４】
2007252859.tif 000006
【図５】
2007252859.tif 000007
【図６】
2007252859.tif 000008
【図７】
2007252859.tif 000009